(57)【要約】【課題】製品ごとに水密性にばらつきがなく、リフォーム現場等での施工性の高い開口部装置を提供すること。【解決手段】枠体２と、枠体２内に嵌め込まれて開閉可能な戸体３と、を備える開口部装置１であって、下枠２２は、見込面から戸体３側に延出し且つ左右方向に延設される下枠延出部２２３と、下枠延出部２２３の見付面側に左右方向に延びて配置され且つ戸体３に当接する下枠気密材２２４と、を有し、戸先側の縦枠２４は、見込面から戸体３側に延出し且つ上下方向に延設される戸先側縦枠延出部２４３と、戸先側縦枠延出部２４３の見付面側に上下方向に延びて配置され且つ戸体３に当接する戸先側縦枠気密材２４４と、を有し、下枠延出部２２３及び戸先側縦枠延出部２４３は、互いの端部同士が見込み方向で当接する。【選択図】図５
2015140580.tif 000002
【特許請求の範囲】
【請求項１】
上下の横枠及び左右の縦枠により枠組みされた枠体と、該枠体内に嵌め込まれて開閉可能な戸体と、を備える開口部装置であって、
前記横枠は、見込面から前記戸体側に延出し且つ左右方向に延設される横枠延出部と、
前記横枠延出部の見付面側に左右方向に延びて配置され且つ前記戸体に当接する横枠気密材と、を有し、
前記縦枠は、見込面から前記戸体側に延出し且つ上下方向に延設される縦枠延出部と、
前記縦枠延出部の見付面側に上下方向に延びて配置され且つ前記戸体に当接する縦枠気密材と、を有し、
前記横枠延出部及び前記縦枠延出部は、前記枠体の四隅のうち少なくとも一の隅部において、互いの端部同士が見込み方向で当接する開口部装置。
【請求項２】
前記枠体の下枠は、前記横枠延出部としての下枠延出部を有し、
前記枠体の戸先側の縦枠は、前記縦枠延出部としての戸先側縦枠延出部を有し、
前記戸先側縦枠延出部は、見込み方向において前記下枠延出部よりも前記戸体側に配置される請求項１記載の開口部装置。
【請求項３】
前記横枠延出部及び前記縦枠延出部のうち、見込み方向において前記戸体に近い側に配置される延出部の気密材は、前記戸体から遠い側に配置される延出部の気密材よりも見込み方向の幅が短い又は柔軟性が低い請求項１又は２記載の開口部装置。
【請求項４】
前記横枠延出部は、見付面側に左右方向に延びて形成され且つ前記横枠気密材の一部が挿入されて取り付けられる横枠気密材取付溝を有し、
前記縦枠延出部は、見付面側に上下方向に延びて形成され且つ前記縦枠気密材の一部が挿入されて取り付けられる縦枠気密材取付溝を有し、
前記横枠延出部又は前記縦枠延出部は、前記横枠気密材取付溝の端部又は前記縦枠気密材取付溝の端部内に配置される隙間埋め材を有し、
前記横枠延出部及び前記縦枠延出部は、互いに隙間埋め材を介して当接する請求項１から３いずれか記載の開口部装置。
【請求項５】
前記枠体の上枠は、前記横枠延出部としての上枠延出部を有し、
前記枠体の戸先側の縦枠は、前記縦枠延出部としての戸先側縦枠延出部を有し、
前記上枠延出部は、見込み方向において前記戸先側縦枠延出部よりも前記戸体側に配置される請求項１記載の開口部装置。
【発明の詳細な説明】
【技術分野】
【０００１】
本発明は、開口部装置に関する。
【背景技術】
【０００２】
従来、浴室等に用いるドアには、浴室側から枠体と戸体との間に侵入した水が、ドアを介して浴室とは逆側に位置する脱衣室等に漏れ出さない性能、いわゆる水密性が求められる。また、浴室等に用いるドアには、浴室側から枠体と戸体との間に侵入した水が浴室側に効率よく戻ることができる性能、いわゆる排水性も求められる。
【０００３】
ドア等の開口部装置に水密性を付与するためには、枠体の戸当たり部分に気密材を配置することが考えられる（例えば、特許文献１参照）。これにより、枠体と戸体との間が気密材によって埋まり、水が枠体と戸体との間を通過するのを防ぐことができる。
【０００４】
また、特許文献１の技術では、横枠を切り欠いて縦枠を通しで配置することで、縦枠と横枠の戸当たり部分の気密材が設置される面が面一になるように構成している。このように、縦枠を通しで配置することで、縦枠の戸当たりに接触した水が円滑に開口部装置の下方まで移動するので、開口部装置の排水性が向上する。
【先行技術文献】
【特許文献】
【０００５】
【特許文献１】実公平８−１０１５２号公報
【発明の概要】
【発明が解決しようとする課題】
【０００６】
しかし、特許文献１の技術のように、枠体の枠同士の連結部において、一方の枠の一部を切り欠いて、他方の枠を通しで配置しようとすると、枠の一部を切り欠く際に生じる誤差によって製品ごとに水密性にばらつきが出てしまう場合があった。
【０００７】
また、枠の一部を切り欠く必要があると、リフォーム現場で開口部の大きさに合わせて枠の長さを切り詰めて調整することが難しく、施工性が低くなることも問題であった。
【０００８】
本発明は、製品ごとに水密性にばらつきがなく、リフォーム現場等での施工性の高い開口部装置を提供することを目的とする。
【課題を解決するための手段】
【０００９】
上記目的を達成するため本発明は、上下の横枠（例えば、後述の上枠２１，下枠２２）及び左右の縦枠（例えば、後述の吊元側の縦枠２３，戸先側の縦枠２４）により枠組みされた枠体（例えば、後述の枠体２）と、該枠体内に嵌め込まれて開閉可能な戸体（例えば、後述の戸体３）と、を備える開口部装置（例えば、後述の開口部装置１）であって、前記横枠は、見込面から前記戸体側に延出し且つ左右方向に延設される横枠延出部（例えば、後述の下枠延出部２２３，上枠延出部２１３Ａ）と、前記横枠延出部の見付面側に左右方向に延びて配置され且つ前記戸体に当接する横枠気密材（例えば、後述の下枠気密材２２４，上枠気密材２１４Ａ）と、を有し、前記縦枠は、見込面から前記戸体側に延出し且つ上下方向に延設される縦枠延出部（例えば、後述の戸先側縦枠延出部２４３，２４３Ａ）と、前記縦枠延出部の見付面側に上下方向に延びて配置され且つ前記戸体に当接する縦枠気密材（例えば、後述の戸先側縦枠気密材２４４，２４４Ａ）と、を有し、前記横枠延出部及び前記縦枠延出部は、前記枠体の四隅のうち少なくとも一の隅部（例えば、後述の隅部２６，２５Ａ）において、互いの端部同士が見込み方向で当接する開口部装置を提供する。
【００１０】
本発明では、開口部装置において、横枠に横枠延出部を、縦枠に縦枠延出部を、それぞれ延設した上で、横枠延出部には横枠気密材を、縦枠延出部には縦枠気密材をそれぞれ配置した。
ここで、仮に、横枠延出部及び縦枠延出部の気密材が配置される面を面一にする場合には、一方の延出部を切り欠いて、その切り欠いた先端を他方の延出部の見込み面に当接させる。この場合、延出部を切り欠く際の精度が低いと、延出部同士が当接する部分に隙間が生じて、開口部装置の水密性が低下してしまうことがある。
そこで、本発明では、横枠延出部及び縦枠延出部の端部同士を、見込み方向で当接させた。
これにより、横枠延出部及び縦枠延出部が互いに当接する部分において、精密な切り欠き加工を行わなくても製品ごとに水密性にばらつきがなくなる。更には、横枠や縦枠の端部を直線的に切り詰めることで、枠の左右の幅や上下の幅を調整できるので、リフォーム現場等での施工性の高い開口部装置を提供できる。
【００１１】
前記枠体の下枠は、前記横枠延出部としての下枠延出部（例えば、後述の下枠延出部２２３）を有し、前記枠体の戸先側の縦枠は、前記縦枠延出部としての戸先側縦枠延出部（例えば、後述の戸先側縦枠延出部２４３）を有し、前記戸先側縦枠延出部は、見込み方向において前記下枠延出部よりも前記戸体側に配置されることが好ましい。
【００１２】
前記横枠延出部及び前記縦枠延出部のうち、見込み方向において前記戸体に近い側に配置される延出部（例えば、後述の戸先側縦枠延出部２４３，上枠延出部２１３Ａ）の気密材（例えば、後述の戸先側縦枠気密材２４４，上枠気密材２１４Ａ）は、前記戸体から遠い側に配置される延出部の気密材よりも見込み方向の幅が短い又は柔軟性が低いことが好ましい。
【００１３】
前記横枠延出部は、見付面側に左右方向に延びて形成され且つ前記横枠気密材の一部が挿入されて取り付けられる横枠気密材取付溝（例えば、後述の下枠気密材取付溝２２５）を有し、前記縦枠延出部は、見付面側に上下方向に延びて形成され且つ前記縦枠気密材の一部が挿入されて取り付けられる縦枠気密材取付溝（例えば、後述の戸先側縦枠気密材取付溝２４５）を有し、前記横枠延出部又は前記縦枠延出部は、前記横枠気密材取付溝の端部又は前記縦枠気密材取付溝の端部内に配置される隙間埋め材（例えば、後述の隙間埋め材２６２）を有し、前記横枠延出部及び前記縦枠延出部は、互いに隙間埋め材を介して当接することが好ましい。
【００１４】
前記枠体の上枠は、前記横枠延出部としての上枠延出部（例えば、後述の上枠延出部２１３Ａ）を有し、前記枠体の戸先側の縦枠は、前記縦枠延出部としての戸先側縦枠延出部（例えば、後述の戸先側縦枠延出部２４３Ａ）を有し、前記上枠延出部は、見込み方向において前記戸先側縦枠延出部よりも前記戸体側に配置されることが好ましい。
【発明の効果】
【００１５】
本発明によれば、製品ごとに水密性にばらつきがなく、リフォーム現場等での施工性の高い開口部装置を提供することができる。
【図面の簡単な説明】
【００１６】
【図１】本発明の一実施形態に係る開口部装置を浴室側から見た正面図である。
【図２】上記実施形態に係る開口部装置の縦断面図である。
【図３】上記実施形態に係る開口部装置の横断面図である。
【図４】上記実施形態に係る開口部装置の上枠及び戸先側の縦枠が連結することで形成される隅部の拡大斜視図である。
【図５】上記実施形態に係る開口部装置の戸先側の縦枠及び下枠が連結することで形成される隅部の拡大斜視図である
【図６】上記実施形態に係る開口部装置の戸先側の縦枠及び下枠が連結することで形成される隅部の拡大斜視図であって、図４の開口部装置から気密材を除いた状態について示した図である。
【図７】上記実施形態の変形例に係る開口部装置の上枠及び戸先側の縦枠が連結することで形成される隅部の拡大斜視図である
【図８】上記実施形態の変形例に係る開口部装置の上枠及び戸先側の縦枠が連結することで形成される隅部の拡大斜視図であって、図７の開口部装置から気密材を除いた状態について示した図である。
【発明を実施するための形態】
【００１７】
以下、本発明の一実施形態について、図面を参照しながら詳しく説明する。なお、本明細書において、「見付方向」とは、建物に形成された開口部に納められた開口部装置における戸体の面方向（すなわち、左右方向）を意味し、「見込方向」とは、上記戸体の厚さ方向（すなわち、奥行き方向）を意味する。
【００１８】
図１は、本実施形態に係る開口部装置１を浴室側から見た図である。開口部装置１は、ユニットバス等の浴室用のドアである。
開口部装置１は、建物に形成された開口に納められる。開口部装置１は、建物の開口に取り付けられる枠体２と、枠体２内に図示しない中心吊りピポットヒンジ（以下、単にピボットヒンジと言う）を介して浴室側に開閉可能に吊り込まれる戸体３と、を備える。
【００１９】
枠体２は、上枠２１と、下枠２２と、吊元側の縦枠２３と、戸先側の縦枠２４と、により矩形に枠組みされる。枠体２は、上枠２１及び戸先側の縦枠２４が連結することで形成される隅部２５と、戸先側の縦枠２４及び下枠２２が連結することで形成される隅部２６と、下枠２２及び吊元側の縦枠２３が連結することで形成される隅部２７と、吊元側の縦枠２３及び上枠２１が連結することで形成される隅部２８と、を有する。
戸体３は、上框３１と、下框３２と、吊元側の縦框３３と、戸先側の縦框３４と、により矩形に枠組みされた框３５と、框３５内に嵌め込まれて固定された樹脂パネル３６と、を含んで構成され、枠体２内に嵌め込まれて開閉可能である。
【００２０】
戸先側の縦框３４は、高さ方向の略中央部にレバーハンドル３４ａを備え、レバーハンドル３４ａの上に錠の開閉を行うためのサムターン３４ｂを備える。戸体３は、浴室側からレバーハンドル３４ａを把持して反時計回り回動し、図示しないラッチボルトを操作しつつ、戸先側の縦框３４を脱衣室側に押し出して回動させることで開放することができる。サムターン３４ｂは、ラッチボルトを固定して錠を閉鎖する。
【００２１】
図２は、本実施形態に係る開口部装置１の、戸先側から見た縦断面図である。
上枠２１は、上枠本体部２１１の浴室側に配置され中空部を有するホロー構造である上枠本体部２１１と、上枠本体部２１１の脱衣室側の下部から水平方向に延びる上枠横設部２１２と、上枠横設部２１２の脱衣室側から下方（戸体３側）に延出する上枠延出部２１３と、上枠延出部２１３の見付面側の下側端部に配置される上枠気密材２１４と、を有する。
【００２２】
上枠延出部２１３は、左右方向に延設される。上枠延出部２１３は、浴室側の見付面側に左右方向に延びて形成され且つ上枠気密材２１４の一部が挿入されて取り付けられる上枠気密材取付溝２１５を有する。上枠２１の上枠気密材２１４以外の部分は、例えばアルミニウムで構成される。より具体的には、上枠２１の上枠気密材２１４以外の部分は、アルミニウムを押出成形することで得られる。
【００２３】
上枠気密材２１４は、左右方向に延び且つ戸体３に当接する。上枠気密材２１４は、固定部分２１６と、ヒダ部分２１７と、を含む。固定部分２１６は、上枠気密材取付溝２１５に挿入される。上枠気密材２１４は、エラストマーからなる。上枠気密材２１４は、例えば、硬度の異なるエラストマーを一体成型することで、固定部分２１６の硬度をヒダ部分２１７の硬度よりも高くなるようにすることもできる。
【００２４】
上框３１は、中空部を有するホロー構造である上框本体部３１１と、上框本体部３１１の浴室側の上部から上方に延出する上框立設部３１２と、上框本体部３１１の脱衣室側から上方に延出して屈曲する上框延出部３１３と、を有する。上框３１は、例えばアルミニウムで構成される。より具体的には、上框３１は、アルミニウムを押出成形することで得られる。上框延出部３１３は、戸体３の閉鎖時にヒダ部分２１７を押し曲げる。
【００２５】
上框３１の下部には、ガラス保持溝３１４が形成される。ガラス保持溝３１４の内部には、シーリング材３１５が配設される。シーリング材３１５は、浴室側及び脱衣室側から上框３１によって押圧されることにより樹脂パネル３６の上側周縁を支持する。
なお、後述する吊元側の縦框３３は、脱衣室側の上部に配置される非常救出つまみ３３５を有する。緊急時には、非常救出つまみ３３５を操作することで、脱衣室側から戸体４を取り外すことができる。
【００２６】
下枠２２は、浴室側に左右に延びて立設する下枠立設部２２１と、下枠立設部２２１の上端から屈曲して水平方向に延びる下枠横設部２２２と、下枠横設部２２２の脱衣室側から上方（戸体３側）に屈曲して延出する下枠延出部２２３と、下枠延出部２２３の見付面側の上側端部に配置される下枠気密材２２４と、を有する。
【００２７】
下枠延出部２２３は、左右方向に延設される。下枠延出部２２３は、浴室側の見付面側に左右方向に延びて形成され且つ下枠気密材２２４の一部が挿入されて取り付けられる下枠気密材取付溝２２５を有する。下枠２２の下枠気密材２２４以外の部分は、例えばアルミニウムで構成される。より具体的には、下枠２２の下枠気密材２２４以外の部分は、アルミニウムを押出成形することで得られる。
【００２８】
下枠気密材２２４は、左右方向に延び且つ戸体３に当接する。下枠気密材２２４は、固定部分２２６と、ヒダ部分２２７と、を含む。固定部分２２６は、下枠気密材取付溝２２５に挿入される。下枠気密材２２４も上枠気密材２１４と同様に、エラストマーからなり、硬度を適宜設定することができる。
【００２９】
下框３２は、中空部を有するホロー構造である下框本体部３２１と、下框本体部３２１の浴室側の上部から上方に延出する下框立設部３２２と、下框本体部３２１の脱衣室側から上方に延出して屈曲する下框延出部３２３と、を有する。下框３２は、例えばアルミニウムで構成される。より具体的には、下框３２は、アルミニウムを押出成形することで得られる。下框延出部３２３は、戸体３の閉鎖時にヒダ部分２２７を押し曲げる。
【００３０】
下框３２の上部には、ガラス保持溝３２４が形成される。ガラス保持溝３２４の内部には、シーリング材３２５が配設される。シーリング材３２５は、浴室側及び脱衣室側から下框３２によって押圧されることにより樹脂パネル３６の下側周縁を支持する。
【００３１】
図３は、上記実施形態に係る開口部装置の横断面図である。
吊元側の縦枠２３は、中空部を有するホロー構造である吊元側縦枠本体部２３１と、吊元側縦枠本体部２３１から浴室側に延出して吊元側と戸先側に分岐する吊元側縦枠分岐部２３２と、吊元側縦枠本体部２３１の脱衣室側から戸先側（戸体３側）に延出する吊元側縦枠延出部２３３と、を有する。
【００３２】
吊元側縦枠延出部２３３は、上下方向に延設され、下側の一部に戸当たりゴム２３３ａが配置される。吊元側の縦枠２３は、例えばアルミニウムで構成される。より具体的には、吊元側の縦枠２３は、アルミニウムを押出成形することで得られる。
【００３３】
吊元側の縦框３３は、中空部を有するホロー構造である。吊元側の縦框３３は、例えばアルミニウムで構成される。より具体的には、吊元側の縦框３３は、アルミニウムを押出成形することで得られる。吊元側の縦框３３の吊元側には、縦枠２３と縦框３３の間の水密性を向上させるためのゴム部材３３１が取り付けられる。吊元側の縦框３３は、戸体３の閉鎖時にゴム部材３３１に当接する。吊元側の縦框３３は、ピポットヒンジ３３２によって上枠２１及び下枠２２と接続される。
【００３４】
吊元側の縦框３３の戸先側には、ガラス保持溝３３３が形成される。ガラス保持溝３３３の内部には、シーリング材３３４が配設される。シーリング材３３４は、浴室側及び脱衣室側から吊元側の縦框３３によって押圧されることにより樹脂パネル３６の吊元側周縁を支持する。
【００３５】
戸先側の縦枠２４は、中空部を有するホロー構造である戸先側縦枠本体部２４１と、戸先側縦枠本体部２４１から浴室側に延出して屈曲する戸先側縦枠屈曲部２４２と、戸先側縦枠本体部２４１から吊元側（戸体３側）に延出する戸先側縦枠延出部２４３と、戸先側縦枠延出部２４３の見付面側の吊元側端部に配置される戸先側縦枠気密材２４４と、を有する。
【００３６】
戸先側縦枠延出部２４３は、上下方向に延設される。戸先側縦枠延出部２４３は、浴室側の見付面側に上下方向に延びて形成され且つ戸先側縦枠気密材２４４の一部が挿入されて取り付けられる戸先側縦枠気密材取付溝２４５を有する。戸先側の縦枠２４の戸先側縦枠気密材２４４以外の部分は、例えばアルミニウムで構成される。より具体的には、戸先側の縦枠２４の戸先側縦枠気密材２４４以外の部分は、アルミニウムを押出成形することで得られる。
【００３７】
戸先側縦枠気密材２４４は、左右方向に延び且つ戸体３に当接する。戸先側縦枠気密材２４４は、固定部分２４６と、ヒダ部分２４７と、を含む。固定部分２４６は、戸先側縦枠気密材取付溝２４５に挿入される。戸先側縦枠気密材２４４も上枠気密材２１４と同様に、エラストマーからなり、硬度を適宜設定することができる。
【００３８】
戸先側の縦枠２４の見込面には、後述するラッチボルト３４１を受けるストライク２４８が配置される。
【００３９】
戸先側の縦框３４は、中空部を有するホロー構造である。戸先側の縦框３４は、例えばアルミニウムで構成される。より具体的には、戸先側の縦框３４は、アルミニウムを押出成形することで得られる。戸先側の縦框３４の戸先側には、レバーハンドル３４ａによって左右に進退させることのできるラッチボルト３４１が配置される。また、戸先側の縦框３４は、戸体３の閉鎖時にヒダ部分２４７を押し曲げる。
【００４０】
なお、上述したように、戸先側の縦框３４は、レバーハンドル３４ａを備える。レバーハンドル３４ａは、浴室側から脱衣室側に縦框３４を貫通して設けられ、浴室側の部分と脱衣室側の部分は連動する。
【００４１】
戸先側の縦框３４の吊元側には、ガラス保持溝３４２が形成される。ガラス保持溝３４２の内部には、シーリング材３４３が配設される。シーリング材３４３は、浴室側及び脱衣室側から戸先側の縦框３４によって押圧されることにより半透明の樹脂パネル３６の戸先側周縁を支持する。
【００４２】
続いて、図４により本実施形態に係る開口部装置１の上枠２１及び戸先側の縦枠２４が連結することで形成される隅部２５について説明する。図４は、隅部２５の拡大斜視図である。図４は、隅部２５を浴室側の左下方から見た図である。
【００４３】
図４に示すように、上枠２１は、その戸先側の端部が戸先側の縦枠２４の見込面に緩衝材２５１を介して当接する。緩衝材２５１は、開口部装置１の水密性を保つ役割も有する。
上枠延出部２１３は、上枠２１の戸先側の端部と同じ長さまで延設されている。つまり、上枠２１の戸先側の端部は、直線的に切り詰められている。
【００４４】
一方、戸先側の縦枠２４は、上枠延出部２１３の下端の位置まで戸先側縦枠延出部２４３の上端が切り欠かれたように形成された切り欠き部２４９を有する。そして、上枠延出部２１３の端部の下部と戸先側縦枠延出部２４３の上端部とが当接し、上枠延出部２１３と戸先側縦枠延出部２４３は、見込み方向では当接しない。
【００４５】
続いて、図５及び図６により本実施形態に係る開口部装置１の戸先側の縦枠２４及び下枠２２が連結することで形成される隅部２６について説明する。図５は、隅部２６の拡大斜視図であり、図６は、図５から下枠気密材２２４及び戸先側縦枠気密材２４４を除いた状態について示した図である。図５及び図６は、隅部２６を浴室側の左上方から見た図である。
【００４６】
図５及び図６に示すように、下枠２２は、その戸先側の端部が戸先側の縦枠２４の見込面に緩衝材２６１を介して当接する。緩衝材２６１は、開口部装置１の水密性を保つ役割も有する。
下枠延出部２２３は、下枠２２の戸先側の端部と同じ長さまで延設されている。つまり、下枠２２の戸先側の端部は、直線的に切り詰められている。下枠延出部２２３は、下枠気密材取付溝２２５の下枠気密材２２４の取り付けられた位置よりも戸先側、つまり戸先側の端部に配置される隙間埋め材２６２を有する。隙間埋め材２６２は、例えば、発泡性樹脂製のシール材からなる。
【００４７】
戸先側の縦枠２４の戸先側縦枠延出部２４３の下端は、ほぼ、下枠横設部２２２の上面（見込面）に当接する位置まで延設されている。そして、戸先側縦枠延出部２４３は、見込み方向において下枠延出部２２３よりも浴室側（戸体３側）に配置され、下枠延出部２２３及び戸先側縦枠延出部２４３は、互いの端部同士が見込み方向で当接する。下枠延出部２２３及び戸先側縦枠延出部２４３は、互いに隙間埋め材２６２を介して当接する。
【００４８】
下枠気密材２２４及び戸先側縦枠気密材２４４は、同じ気密材で構成されていない。より詳しくは、下枠延出部２２３よりも、見込み方向において戸体３から近い側（脱衣室側）に位置する戸先側縦枠延出部２４３に配置される戸先側縦枠気密材２４４は、下枠気密材２２４よりも見込み方向の幅が短い又は柔軟性が低い。
【００４９】
本実施形態によれば、以下の効果が奏される。
（１）本実施形態では、開口部装置１において、下枠２２に下枠延出部２２３を、戸先側の縦枠２４に戸先側縦枠延出部２４３を、それぞれ延設した上で、下枠延出部２２３には下枠気密材２２４を、戸先側縦枠延出部２４３には戸先側縦枠気密材２４４をそれぞれ配置した。
ここで、仮に、下枠延出部２２３及び戸先側縦枠延出部２４３の気密材が配置される面を面一にする場合には、一方の延出部を切り欠いて、その切り欠いた先端を他方の延出部の見込み面に当接させる。この場合、延出部を切り欠く際の精度が低いと、延出部同士が当接する部分に隙間が生じて、開口部装置の水密性が低下してしまうことがある。
そこで、本実施形態では、下枠延出部２２３及び戸先側縦枠延出部２４３の端部同士を、見込み方向で当接させた。
これにより、下枠延出部２２３及び戸先側縦枠延出部２４３が互いに当接する部分において、精密な切り欠き加工を行わなくても製品ごとに水密性にばらつきがなくなる。更には、下枠２２の戸先側の端部を直線的に切り詰めることで、枠の左右の幅を調整できるので、リフォーム現場等での施工性の高い開口部装置を提供できる。
【００５０】
（２）また、本実施形態では、戸先側縦枠延出部２４３を、見込み方向において下枠延出部２２３よりも戸体３側に配置した。
これにより、戸先側縦枠延出部２４３の浴室側（戸体３側）に付着した水は、戸先側縦枠気密材２４４が存在することにより脱衣室側には通過せずに、戸先側縦枠延出部２４３を伝って下方まで流れる。そして、戸先側縦枠延出部２４３を伝って下方まで流れた水は、隅部２６において下枠延出部２２３に付着することなく円滑に浴室側に排水される。従って、本実施形態に係る開口部装置１は、排水性が高い。
【００５１】
（３）また、本実施形態では、下枠延出部２２３及び戸先側縦枠延出部２４３のうち、見込み方向において前記戸体に近い側に配置される戸先側縦枠延出部２４３の戸先側縦枠気密材２４４を、戸体３から遠い側に配置される下枠延出部２２３の下枠気密材２２４よりも見込み方向の幅が短い又は柔軟性が低いものした。
これにより、戸体３が枠体２に収められている際に、戸先側縦枠気密材２４４及び下枠気密材２２４が戸体３を押圧する力の差を小さくすることができる。従って、本実施形態に係る開口部装置１は、下枠延出部２２３及び戸先側縦枠延出部２４３の戸体３との距離が異なるにも関わらず、水密性が安定している。
【００５２】
（４）また、本実施形態では、下枠延出部２２３の有する下枠気密材取付溝２２５に下枠気密材２２４を取り付け、戸先側縦枠延出部２４３の有する戸先側縦枠気密材取付溝２４５に戸先側縦枠気密材２４４を取り付けた。更に、下枠気密材取付溝２２５の端部内に隙間埋め材２６２を配置して、下枠延出部２２３及び戸先側縦枠延出部２４３が隙間埋め材２６２を介して当接するものとした。
これにより、下枠気密材取付溝２２５の中に水が溜まってしまうことを防ぐことができる。ところで、金属製の部材である下枠延出部２２３及び戸先側縦枠延出部２４３が直接当接している場合には、浴室に水が溜まってしまうとその部分から漏水が起こりやすくなる。本実施形態では、下枠延出部２２３及び戸先側縦枠延出部２４３は隙間埋め材２６２を介して当接しているので、浴室に水が溜まったとしても漏水が起こりにくい。
【００５３】
続いて、上記実施形態の変形例に係る開口部装置１Ａについて説明する。開口部装置１Ａは、開口部装置１と、隅部２５の構造を除いてほぼ同様の構成である。従って、開口部装置１Ａについては、図７及び図８により、上枠２１Ａ及び戸先側の縦枠２４Ａが連結することで形成される隅部２５Ａについて説明する。なお、説明には上記実施形態と同様の符号を用いる。図７は、隅部２５Ａの拡大斜視図であり、図８は、図７から上枠気密材２１４Ａ及び戸先側縦枠気密材２４４Ａを除いた状態について示した図である。図７及び図８は、隅部２５Ａを浴室側の左下方から見た図である。
【００５４】
図７及び図８に示すように、上枠２１Ａは、上記実施形態における上枠２１と同様の構成である。
一方、戸先側の縦枠２４Ａは、戸先側縦枠延出部２４３Ａの上端が切り欠かれたように形成された切り欠き部を有さない。そして、上枠延出部２１３Ａは、見込み方向において戸先側縦枠延出部２４３Ａよりも浴室側（戸体３側）に配置され、上枠延出部２１３Ａ及び戸先側縦枠延出部２４３Ａは、互いに端部同士が見込み方向では当接する。
なお、上枠気密材２１４Ａ及び戸先側縦枠気密材２４４Ａは、同じ気密材で構成されていない。より詳しくは、戸先側縦枠延出部２４３Ａよりも、見込み方向において戸体３Ａから近い側（脱衣室側）に位置する上枠延出部２１３Ａに配置される上枠気密材２１４Ａは、戸先側縦枠気密材２４４Ａよりも見込み方向の幅が短い又は柔軟性が低い。
【００５５】
本実施形態の変形例によれば、上記効果（１）及び（３）の他に、以下の効果が奏される。
（５）本実施形態の変形例では、上枠延出部２１３Ａを、見込み方向において戸先側縦枠延出部２４３Ａよりも戸体３側に配置して、上枠延出部２１３Ａ及び戸先側縦枠延出部２４３Ａの端部同士を見込み方向で当接させた。
これにより、上枠延出部２１３Ａの浴室側（戸体３側）に付着した水は、上枠気密材２１４Ａが存在することにより脱衣室側には通過せずに、上枠延出部２１３Ａ（上枠気密材２１４Ａ）を伝って戸先側まで流れる。そして、戸先側まで流れた水は、戸先側縦枠延出部２４３の浴室側まで伝ってから下方に流れて円滑に浴室側に排水される。従って、本実施形態の変形例に係る開口部装置１Ａは、排水性が高い。
【００５６】
なお、本発明は上記実施形態及びその変形例に限定されるものではなく、本発明の目的を達成できる範囲での変形、改良等は本発明に含まれる。
例えば、上記実施形態では、本願発明の開口部装置１の戸体３を開き戸としたが、これに限定されず、例えば戸体３を折戸としてもよい。
【００５７】
また、樹脂パネル３６としては、半透明部材もしくは透明部材の樹脂パネルにミラー調フィルムを貼着した樹脂パネルを用いてもよいし、樹脂パネルの代わりにガラス板にミラー調フィルムを貼着したものを用いてもよい。これらミラー調の樹脂パネルやガラス板を浴室ドアに用いた場合、脱衣室側から浴室内が見えるため、入浴者に異常があった場合、容易に確認することができる。また、入浴中に脱衣室を明るくすれば浴室内から脱衣室側が見えるため、浴室にいても開放感を感じることができる。また、入浴していない場合に浴室内を暗くすれば、脱衣室側から浴室内が見えないため、廊下／脱衣室間のドアを開放しても、廊下から浴室の中が見えてしまうことを防ぐことができる。更に、浴室に窓がある場合には、昼間、換気のために浴室の窓を開けておいても、外から脱衣室より内側が見えてしまうことを防ぐことができる一方、脱衣室側からは外まで見え、開放感を感じることができる。
【００５８】
また、上記実施形態では、本願発明の開口部装置１を浴室用のドアとしたが、これに限定されず、例えばテラスドアや玄関用のドアとしてもよい。
また、上記実施形態では、隅部２６において、上記実施形態の変形例においては、隅部２５Ａにおいて、横枠延出部及び縦枠延出部が、互いの端部同士が見込み方向で当接するものとしたが、これに限定されず、隅部２７，２８において横枠延出部及び縦枠延出部が、互いの端部同士が見込み方向で当接するものしてもよい。
また、上記実施形態では、隅部２６のみで横枠延出部及び縦枠延出部が、互いの端部同士が見込み方向で当接するものとしたが、これに限定されず、枠体２の四隅のうち二以上の隅部で横枠延出部及び縦枠延出部が、互いの端部同士が見込み方向で当接するものとしてもよい。
【符号の説明】
【００５９】
１  開口部装置
２  枠体
３  戸体
２１  上枠（横枠）
２２  下枠（横枠）
２３  吊元側の縦枠（縦枠）
２４  戸先側の縦枠（縦枠）
２６，２５Ａ  隅部
２１３Ａ  上枠延出部（横枠延出部）
２２３  下枠延出部（横枠延出部）
２１４Ａ  上枠気密材（横枠気密材）
２２４  下枠気密材（横枠気密材）
２２５  下枠気密材取付溝（横枠気密材取付溝）
２４３，２４３Ａ  戸先側縦枠延出部（縦枠延出部）
２４４，２４４Ａ  戸先側縦枠気密材（縦枠気密材）
２４５  戸先側縦枠気密材取付溝（縦枠気密材取付溝）
２６２  隙間埋め材
【図１】
2015140580.tif 000003
【図２】
2015140580.tif 000004
【図３】
2015140580.tif 000005
【図４】
2015140580.tif 000006
【図５】
2015140580.tif 000007
【図６】
2015140580.tif 000008
【図７】
2015140580.tif 000009
【図８】
2015140580.tif 000010